(57)【要約】【課題】使用時の鬱血を防ぐとともに容易かつしっかりとした安定保持を可能とする点滴用のサポーターを提供する。【解決手段】伸縮性布にて筒体を形成してサポーター本体とし、該サポーター本体の側面適所に重層部を設けたことを特徴とする。【選択図】      図４
2006158922.tif 000002
【特許請求の範囲】
【請求項１】
伸縮性布にて筒体を形成してサポーター本体とし、該サポーター本体の側面適所に重層部を設けたことを特徴とする点滴用サポーター。
【請求項２】
伸縮性布を伸縮性ネットとした請求項１記載の点滴用サポーター。
【請求項３】
重層部に近接してポケットを設けた請求項１または２記載の点滴用サポーター。
【請求項４】
サポーター本体適所に記入片を設けた請求項１〜３のいずれかの項に記載の点滴用サポーター。
【発明の詳細な説明】
【技術分野】
【０００１】  この発明は、点滴時に使用するサポーターに関する。
【背景技術】
【０００２】  従来より、点滴時に血管への挿入部分を人体に固定するときは、包帯やガーゼを使用する場合が大半であり、本発明にて示すような点滴専用のサポーターは見当たらない。
【発明の開示】
【発明が解決しようとする課題】
【０００３】  点滴は人体治療時に用いる手段の一つであり、一般的には点滴液の入った容器を上方に位置させ、この容器下部にチューブを取り付け、チューブ他端に針状の先端部を有する物品を取り付け、この針状部分を人体の一部多くは腕に挿入して血管に差し込み、チューブ中間に設けたバルブの調整にて単位時間当たり所定量の点滴液が人体に入るよう設けられたものである。この場合、人体に挿入する個所の安定を図るために、包帯やガーゼが多用されている。
包帯を用いるときはチューブ部分を除く挿入部分を包帯で巻いて整えるが、その押圧にて血流が阻害されて鬱血状態となりがちである。ガーゼを用いるときは挿入部分にガーゼを当ててそのガーゼをテープで巻いて整えるのであるが、この調整が難しく、強くテープを巻くと鬱血し、緩く巻くと十分な固定ができない。また時間の経過とともにテープが剥がれてくる。
本発明は、以上のような従来からの点滴に関わる課題を解決するために発明されたもので、点滴時の鬱血の恐れが無く、長時間にわたる使用を可能にするとともに、その使用も簡便なる新規かつ有用なる物品を提供することを目的としたものである。
【課題を解決するための手段】
【０００４】  課題を解決する手段として本発明は、筒状布片適所に重層部を設けてその主要部を構成した。すなわち、本発明の第１は伸縮性布にて筒体を形成してサポーター本体とし、該サポーター本体の側面適所に重層部を設けたことを特徴とする点滴用サポーターであり、本発明の第２は伸縮性布を伸縮性ネットとした点滴用サポーターである。第３は重層部に近接してポケットを設けた点滴用サポーターであり、第４はサポーター本体適所に記入片を設けた点滴用サポーターである。
【発明の効果】
【０００５】  本発明によれば、点滴個所を強く締め付けることがないため鬱血の恐れが無く、従来法のような消耗品使用による固定と異なって繰り返しの使用が可能となり、使用にも便利なる点滴用のサポーターを得ることができる。また、ポケットや記入片を設けることで、点滴液非注入時における三方活栓の保持ならびに点滴を受ける患者の氏名その他の情報を明確にすることのできる有用なる物品を得ることができる。
【発明を実施するための最良の形態】
【０００６】  以下、本発明の実施形態について説明する。
図において、１はサポーター本体で、目の細かい伸縮性ネットをその一部を重ねて筒状に形成したもので、その中央側面には重層部２が形成される。また、サポーター本体の両端はほつれやめくれを防ぐために少し折り返して縫合されている。
この重層部は上下に２枚のネットが重なり合う部分で、上布片３と下布片４とから構成される。上布片は略長方形布片で、その一部はやや湾曲した非縫合部５であり、他の辺はサポーター本体に縫着されてサポーターの一部を構成する。下布片は上布片と同様構成で上布片と対称に設けられ、同様に非縫合部を有している。従って、上布片の非縫合部をつまんで少し上に持ち上げ、下布片の非縫合部をつまんで上に持ち上げることにより、弓形の合わさった形状の開口部分が形成され、この開口部から点滴用物品の針状部分を挿入することができる。
６は重層部に近接して設けられるポケット、７は軟質合成樹脂シートによる記入片で、その裏面に粘着層を有し、サポーター本体に粘着される。
このポケットは、図６に示すように点滴液非注入時において、三方活栓を一時的に収納するときに利用される。つまり、再度の点滴時に便利なように血管から針状部分を抜き取らずにおくとき、コックを閉めて三方活栓からチューブを抜き取り、延長チューブを重層部の周りに沿わせて屈曲し、この延長チューブ端にある三方活栓を閉にしてキャップを嵌め、このポケットに挿入保持させるためのものである。【０００７】  また記入片は患者の氏名や血液型などの情報を記入しておくためのもので、サポーター装着前に筆記具にてこの記入片に書き込むことで患者の取り違えなどを防ぐことができる。
以上本発明について記したが、本発明は腕に簡単に装着でき、必要個所のみを開口させて点滴できるところにその特徴がある。既述の従来法では包帯やガーゼを用いるために、適切な固定が難しかったり締め付けが強すぎて鬱血したりする恐れがあったが、本発明では伸縮性ネットを用いるのでこのような心配がない。また、重層部を設けたので必要部分のみの開口ですみ、この重層部の上下端近傍にテープを貼ることで針状部および延長チューブの安定保持が可能である。
実施形態で示したように、重層部とポケットおよび記入片のすべてを設けてもよいが、必要に応じて重層部のみ、重層部とポケット、重層部と記入片などの組み合わせにて用いてもよい。本例では伸縮性ネットを用いてサポーターを形成しており、通気性に富むため使用中の蒸れを防ぎ、また抗菌加工素材とすれば衛生面での強化を図ることができる。
また、ネット材質を透明とすれば、血液の逆流、皮膚の腫れ、点滴の漏れなどを容易に把握することができる。なお、サポーター本体をネット以外の他の伸縮性布体にて形成してもよい。
以上のごとく、本発明によって使用に便利なる点滴用サポーターを得ることができる。
【図面の簡単な説明】
【０００８】
【図１】  本発明の平面図
【図２】  本発明の正面図
【図３】  Ａ−Ａ断面図
【図４】  本発明の使用説明図
【図５】  本発明の使用説明図（点滴状態）
【図６】  本発明の使用説明図（非点滴状態）
【図７】  本発明の他例の平面図
【図８】  本発明の他例の平面図
【図９】  本発明の他例の平面図
【符号の説明】
【０００９】１    サポーター本体
２    重層部
３    上布片
４    下布片
５    非縫合部
６    ポケット
７    記入片
８    テープ
９    延長チューブ
１０  三方活栓
１１  膨大部
１２  コック
１３  チューブ
１４  容器
【図１】
2006158922.tif 000003
【図２】
2006158922.tif 000004
【図３】
2006158922.tif 000005
【図４】
2006158922.tif 000006
【図５】
2006158922.tif 000007
【図６】
2006158922.tif 000008
【図７】
2006158922.tif 000009
【図８】
2006158922.tif 000010
【図９】
2006158922.tif 000011